(57)【要約】【課題】一つのダイヤル式スイッチで呼び登録及び設置階登録を行える乗場操作盤を得る。【解決手段】回動、押し込み及び引き出し操作可能なダイヤル式スイッチ４と、乗場に設けられ、行先階及び設置階を表示する乗場インジケータ３と、ダイヤル式スイッチ４の押し込み呼び状態及び引き出し状態に応じて呼び登録モードと乗場の階床を登録する設置階登録モードのいずれかに切替え、呼び登録モードの場合にダイヤル式スイッチ４が回動すると乗場インジケータ３に表示する行先階をダイヤル式スイッチ４の回動位置に応じて順次切替え乗場インジケータ３に表示している行先階を指定した呼びをエレベーター制御装置１５に登録し、設置階登録モードの場合にダイヤル式スイッチ４が回動すると乗場インジケータ３に表示する設置階をダイヤル式スイッチ４の回動位置に応じて順次切替え乗場インジケータ３に表示している設置階を記憶する乗場制御装置８とを備える。【選択図】          図２
2016145087.tif 000002
【特許請求の範囲】
【請求項１】
回動、押し込み及び引き出し操作可能なダイヤル式スイッチと、
乗場に設けられ、行先階及び設置階を表示する乗場インジケータと、
前記ダイヤル式スイッチの回動状態、押し込み状態及び引き出し状態を検出するダイヤル検出部、前記ダイヤル検出部が検出する前記ダイヤル式スイッチの押し込み呼び状態及び引き出し状態に応じて呼び登録モードと前記乗場の階床を登録する設置階登録モードのいずれかに切替える切替部、前記呼び登録モードに切替えられた場合に前記ダイヤル検出部が前記ダイヤル式スイッチの回動を検出すると前記乗場インジケータに表示する行先階を当該検出された前記ダイヤル式スイッチの回動位置に応じて順次切替え、前記設置階登録モードに切替えられた場合に前記ダイヤル検出部が前記ダイヤル式スイッチの回動を検出すると前記乗場インジケータに表示する設置階を当該検出された前記ダイヤル式スイッチの回動位置に応じて順次切替える表示制御部、前記呼び登録モードに切替えられた場合に前記乗場インジケータに表示している行先階を呼びの行先階に決定し、当該決定した行先階を指定した呼びをエレベーター制御装置に登録する呼び登録部、前記設置階登録モードに切替えられた場合に前記乗場インジケータに表示している設置階を前記乗場の階床として記憶する設置階登録部を有する乗場制御装置と
を備えるエレベーターの乗場操作盤。
【請求項２】
前記ダイヤル式スイッチは、基準位置から回動すると逆方向へ回動して基準位置に戻り、
前記乗場制御装置は、前記ダイヤル式スイッチが回動した後基準位置に戻ってから回動しない時間を計測する時間計測部を有し、前記呼び登録モードの場合、前記呼び登録部は、前記時間計測部の計測時間が一定時間に達すると前記乗場インジケータに表示している行先階呼びの行先階に決定し当該決定した行先階を指定した呼びを前記エレベーター制御装置に登録し、前記行先階登録モードの場合、前記設置階登録部は、前記時間計測部の計測時間が一定時間に達すると前記乗場インジケータに表示している設置階を前記乗場の階床として記憶する請求項１に記載のエレベーターの乗場操作盤。
【請求項３】
前記切替部は、前記ダイヤル検出部が前記ダイヤル式スイッチの引き出し状態を検出すると、前記呼び登録モードに切替え、
前記ダイヤル式スイッチは、回動、押し込み及び引き出し操作される操作部と前記操作部の背面に当接する可動支柱を有し、
前記操作部に着脱可能に設けられ、厚み寸法が前記ダイヤル式スイッチを引き出した状態における前記操作部の表面から前記乗場の壁に設けられる表板までの寸法と同等であるキャップを備える請求項１または請求項２に記載のエレベーターの乗場操作盤。
【請求項４】
前記操作部は、表面から背面まで貫通する挿通孔を有し、
前記キャップは、前記挿通孔を挿通し、前記操作部の背面に係止する係止部を有する請求項３に記載のエレベーターの乗場操作盤。
【請求項５】
前記切替部は、前記ダイヤル検出部が前記ダイヤル式スイッチの押し込み状態を検出すると、前記呼び登録モードに切替え、
前記ダイヤル式スイッチは、回動、押し込み及び引き出し操作され表面から背面まで貫通する挿通孔を有する操作部と前記操作部の背面に当接し前記乗場の壁に設けられる表板の開口部を貫通する可動支柱を有し、
前記操作部に着脱可能に設けられ、前記挿通孔及び前記表板の開口部を挿通するロック部及びロック部の先端に形成される係止部を有し、前記ロック部の前記係止部を除く長さが前記ダイヤル式スイッチを押し込んだ状態における前記表板の背面から前記操作部の表面までの寸法と同等であり、前記係止部は、前記表板の背面に係止するキャップを備える請求項１または請求項２に記載のエレベーターの乗場操作盤。
【発明の詳細な説明】
【技術分野】
【０００１】
この発明は、エレベーターの乗場に設けられる操作盤に関する。
【背景技術】
【０００２】
エレベーターの乗場には、乗客が行先階床を選択してエレベーターの呼び登録を行うための乗場操作盤が設けられている。乗場操作盤には、かごが停止する階床の分だけ呼びボタンを有する押しボタン式の他に、ダイヤル操作により行先階床を選択するダイヤル式がある（例えば、特許文献１参照）。また、ダイヤル式操作盤として、呼び登録操作を行うダイヤルを用いて、メンテナンス操作も行えるものが知られている（例えば、特許文献２参照）。
【先行技術文献】
【特許文献】
【０００３】
【特許文献１】特開２００１―１６３５３６号公報（第２頁、第２図）
【特許文献２】特開２００１―２２００６８号公報（第６頁、第８図）
【発明の概要】
【発明が解決しようとする課題】
【０００４】
しかしながら、特許文献１に記載のエレベーターの操作盤は、呼び登録操作しか行えず、また、行先階を登録するための登録ボタンを設ける必要があった。
【０００５】
特許文献２に記載のエレベーターの操作盤は、一つのダイヤル式スイッチで呼び登録操作及び呼び登録操作以外の操作も行えるが、ダイヤル式スイッチの他に呼び登録を完了するための登録ボタン及び、複数の操作を切替えるための切替ボタンを設ける必要があり、操作盤が大型になるという課題があった。
【０００６】
ところで、エレベーターの乗場操作盤は、エレベーター制御装置と通信するために、当該乗場操作盤がどの階床に設置されているかを登録する必要がある。乗場操作盤に、当該乗場操作盤が設置されている階床を登録する操作を設置階登録操作と呼ぶ。従来、設置階登録は、乗場操作盤の表板を外して、乗場操作盤を制御している乗場制御装置を直接操作していた。この方法だと、設置階登録操作が煩雑であり、また、表板等の意匠面を傷つける恐れもあった。そこで、一つのダイヤル式スイッチの操作で呼び登録と設置階登録を行える乗場操作盤の実現が望まれていた。
【０００７】
この発明は、上記の問題点を解決するためになされたものであり、一つのダイヤル式スイッチで行先階床を選択して呼び登録を行うとともに、設置階登録操作も行える、エレベーターの乗場操作盤を得る。
【課題を解決するための手段】
【０００８】
この発明に係るエレベーターの乗場操作盤は、回動、押し込み及び引き出し操作可能なダイヤル式スイッチと、乗場に設けられ、行先階及び設置階を表示する乗場インジケータと、前記ダイヤル式スイッチの回動状態、押し込み状態及び引き出し状態を検出するダイヤル検出部、前記ダイヤル検出部が検出する前記ダイヤル式スイッチの押し込み呼び状態及び引き出し状態に応じて呼び登録モードと前記乗場の階床を登録する設置階登録モードのいずれかに切替える切替部、前記呼び登録モードに切替えられた場合に前記ダイヤル検出部が前記ダイヤル式スイッチの回動を検出すると前記乗場インジケータに表示する行先階を当該検出された前記ダイヤル式スイッチの回動位置に応じて順次切替え、前記設置階登録モードに切替えられた場合に前記ダイヤル検出部が前記ダイヤル式スイッチの回動を検出すると前記乗場インジケータに表示する設置階を当該検出された前記ダイヤル式スイッチの回動位置に応じて順次切替える表示制御部、前記呼び登録モードに切替えられた場合に前記乗場インジケータに表示している行先階を呼びの行先階に決定し、当該決定した行先階を指定した呼びをエレベーター制御装置に登録する呼び登録部、前記設置階登録モードの場合に前記乗場インジケータに表示している設置階を前記乗場の階床として記憶する設置階登録部を有する乗場制御装置とを備える。
【発明の効果】
【０００９】
この発明に係るエレベーターの乗場操作盤は、一つのダイヤル式スイッチで行先階を選択して呼び登録を行うとともに、設置階登録も行えるので、ダイヤル式スイッチの他に登録ボタン及び切替スイッチを設ける必要がなくなる。
【図面の簡単な説明】
【００１０】
【図１】この発明の実施の形態１に関わるエレベーターの乗場を示す図である。
【図２】この発明の実施の形態１を示す乗場操作盤の正面図である。
【図３】図２に示す乗場操作盤を側方から見た図である。
【図４】図２に示す乗場操作盤のＡ―Ａ断面図である。
【図５】図４に示す乗場操作盤のダイヤル式スイッチを押し込んだ図である。
【図６】この発明の実施の形態１を示すキャップの斜視図である。
【図７】図６に示すキャップの背面図である。
【図８】図７に示すキャップのＢ―Ｂ断面図である。
【図９】図２に示す乗場操作盤にキャップを装着した図である。
【図１０】図９に示す乗場操作盤を側方から見た図である。
【図１１】図４に示す乗場操作盤にキャップを装着した図である。
【図１２】この発明の実施の形態１を示す乗場操作盤のブロック図である。
【図１３】この発明の実施の形態１を示す乗場制御装置の動作フローチャートである。
【図１４】この発明の実施の形態２を示す乗場操作盤の一部断面図である。
【図１５】この発明の実施の形態２を示す乗場制御装置の動作フローチャートである。
【発明を実施するための形態】
【００１１】
実施の形態１．
図１は、この発明の実施の形態１に関わるエレベーターの乗場１００を示す図である。エレベーターの乗場１００は、乗場ドア１０１、三方枠１０２及び乗場操作盤１を備える。
【００１２】
図２は、この発明の実施の形態１を示す乗場操作盤１の正面図である。図３は、図２に示す乗場操作盤１を側方から見た図である。乗場操作盤１は、表板２、表板２に埋め込まれ、かご（図示せず）の走行方向及び位置を表示する乗場インジケータ３及びダイヤル式スイッチ４を備える。
【００１３】
ダイヤル式スイッチ４は、保守員がメンテナンス操作時にダイヤル操作を行う、円筒形状の操作部４ａ、操作部４ａの背面に当接して固定される、円筒形状の可動支柱５を備える。操作部４ａ及び可動支柱５は、正面形状が正円であり、操作部４ａの半径の方が、可動支柱５の半径より大きい。操作部４ａは、正面形状が四角形で、操作部４ａの表面から背面まで貫通する挿通孔４ｂを有する。この挿通孔４ｂは、後述するキャップ７を操作部４ａに取付ける際に、キャップ７のロック部７ａが挿通する。なお、操作部４ａは、正面形状が正円であるとしたが、これに限らず、例えば、楕円や多角形でも良い。
【００１４】
図４は、図２に示す乗場操作盤のＡ―Ａ断面図である。表板２は、開口部２ａを備える。可動支柱５は、表板２の表面から背面へ、開口部２ａを貫通して設けられる。表板２の背部には、円筒形状の固定支柱６と乗場制御装置８とが設けられる。固定支柱６は、内部が空洞になっており、その内周は、可動支柱５の外周よりも大きい。固定支柱６は、内部において可動支柱５を回動可能にかつ押し込み及び引き出し可能に支持する。これにより、保守員は、操作部４ａを回動、押し込み及び引き出し操作できる。乗場制御装置８は、スイッチ９ａを備え、可動支柱５の押し込み状態及び引き出し状態を検出する。なお、可動支柱５には、バネ等の弾性材が取付けられており、保守員または乗客がダイヤル式スイッチ４を基準位置から回動させると、可動支柱５は、弾性材の弾性力に逆らって回動する。ダイヤル式スイッチ４が左右どちらかに回動された状態で、保守員または乗客がダイヤル式スイッチ４から手を離すと、可動支柱５は、弾性材の復元力により、基準位置に戻る。
【００１５】
図５は、図４に示す乗場操作盤１のダイヤル式スイッチ４を押し込んだ図である。図４において、可動支柱５が引き出し状態の場合、可動支柱５は、スイッチ９ａと接触せず、スイッチ９ａは、ＯＦＦになっている。図５において、可動支柱５が押し込み状態の場合、スイッチ９ａは、可動支柱５の操作部４ａと当接していない端部に押圧されてＯＮになる。乗場制御装置８は、スイッチ９ａの状態により、可動支柱５の押し込み状態及び引き出し状態を検出する。
【００１６】
図６は、この発明の実施の形態１を示すキャップ７の斜視図である。図７は、図６に示すキャップ７の背面図である。図８は、図７に示すキャップ７のＢ―Ｂ断面図である。キャップ７は、常時操作部４ａに装着されている。乗客は、キャップ７を回動して呼び登録を行う。キャップ７は、円筒形状で、背面が開口している。キャップ７は、正面形状が正円であり、半径は、操作部４ａの半径よりも大きい。キャップ７の厚み寸法は、可動支柱５を引き出した状態における表板２から操作部４ａの表面までの寸法と同等である。キャップ７は、内部に、直方体形状のロック部７ａ及び正面形状が操作部４ａと同形状の保持部７ｃを備える。ロック部７ａは、先端が側方に突出しており、係止部７ｂを形成する。ロック部７ａの係止部７ｂを除く長さ寸法は、操作部４ａの厚み寸法と同等である。なお、キャップ７は、正面形状が正円であるとしたが、これに限らず、例えば、楕円や多角形でも良い。
【００１７】
図９は、図２に示す乗場操作盤１にキャップ７を装着した図である。図１０は、図９に示す乗場操作盤１を側方から見た図である。図１１は、図４に示す乗場操作盤１にキャップ７を装着した図である。キャップ７は、可動支柱５を引き出した状態で、操作部４ａに装着される。このとき、ロック部７ａは、挿通孔４ｂを挿通する。ロック部７ａの先端に形成される係止部７ｂは、操作部４ａの背面から突出し、操作部４ａの背面に係止する。保持部７ｃは、操作部４ａの表面及び側面に当接する。操作部４ａにキャップ７を装着すると、表板２とキャップ７の背面との間に、保持部７ｃの厚み分、わずかな隙間が生じる。この隙間の分、可動支柱５を押し込むことが可能となる。乗場制御装置８は、可動支柱５の回動状態、押し込み状態及び引き出し状態を検出する。前述の隙間の分、可動支柱５を押し込んだ場合でも、可動支柱５は、スイッチ９ａと接触せず、スイッチ９ａはＯＦＦになっているため、乗場制御装置８は、可動支柱５の引き出し状態を検出する。キャップ７を操作部４ａに装着すると、可動支柱５は引き出し状態を維持する。
【００１８】
キャップ７は、保守員が保守作業を行う場合のみ、操作部４ａから取外される。キャップ７を操作部４ａから取外す場合は、取外し工具１６を表板２とキャップ７の背面との隙間に挿入し、取外し工具１６の先端で係止部７ｂを押圧し、係止部７ｂの操作部４ａの背面への係止を外す。係止部７ｂは、操作部４ａの背面への係止が外れると、挿通孔４ｂの入り口に移動する。この状態で、キャップ７を引くと、係止部７ｂは、挿通孔４ｂを挿通する。ロック部７ａ及び係止部７ｂが挿通孔４ｂから抜き出されると、キャップ７は、操作部４ａから取外される。取外し工具１６は、保守員のみが所持する工具であり、例えば、鋼尺である。このため、乗客が誤ってキャップ７を外す恐れがない。
【００１９】
図１２は、この発明の実施の形態１を示す乗場操作盤１のブロック図である。乗場制御装置８は、ダイヤル検出部９、切替部１０、表示制御部１１、時間計測部１２、呼び登録部１３、設置階登録部１４を備える。乗場制御装置８は、乗場インジケータ３、ダイヤル式スイッチ４、エレベーター制御装置１５と接続している。エレベーター制御装置１５は、かごの昇降等、エレベーター装置の運転を制御し、また、かご位置及び走行方向を表示制御部１１に送信する。ダイヤル検出部９は、スイッチ９ａを備え、ダイヤル式スイッチ４の可動支柱５の回動状態、押し込み状態及び引き出し状態を検出する。切替部１０は、ダイヤル検出部９が可動支柱５の引き出し状態を検出している場合に呼び登録モードに、ダイヤル検出部９が可動支柱５の押し込み状態を検出している場合に設置階登録モードに切替える。表示制御部１１は、乗場インジケータ３に、かごの走行方向及び位置、呼び登録を行う際の行先階、設置階登録を行う際の設置階のいずれかを表示させるよう制御する。ここで、設置階登録とは、乗場操作盤１に、当該乗場操作盤１が設置されている階床を登録することを指す。乗場操作盤１は、設置階登録操作をされると、エレベーターの制御を行うエレベーター制御装置１５と通信ができるようになる。表示制御部１１は、可動支柱５が操作されていない場合に、乗場インジケータ３に、かごの走行方向及び位置を表示させる。表示制御部１１は、呼び登録モードの場合に可動支柱５が回動操作されると、乗場インジケータ３に行先階を表示させる。表示制御部１１は、設置階登録モードの場合に可動支柱５が回動操作されると、乗場インジケータ３に設置階を表示させる。時間計測部１２は、可動支柱５が基準位置から回動操作された後、基準位置に戻ってから停止している時間を計測する。この計測時間が予め決められた時間に達すると、時間計測部１２は、呼び登録モードの場合に、呼び登録部１３へ信号を出力し、設置階登録モードの場合に、設置階登録部１４へ信号を出力する。呼び登録部１３は、呼び登録モードの場合に、時間計測部１２から信号を受取ると、表示制御部１１が乗場インジケータ３に表示させている行先階を指定した呼びをエレベーター制御装置１５に登録する。設置階登録部１４は、設置階登録モードの場合に、時間計測部１２から信号を受取ると、表示制御部１１が乗場インジケータ３に表示させている階床を乗場操作盤１の設置階として記憶する。
【００２０】
図１３は、この発明の実施の形態１を示す乗場制御装置８の動作フローチャートである。
ダイヤル式スイッチ４が操作されていない場合、ステップ（以下、Ｓと称す。）１で、表示制御部１１は、乗場インジケータ３にかごの位置を表示させる。かごが走行中であれば、走行方向も表示させる。
【００２１】
Ｓ２で、ダイヤル検出部９が可動支柱５の回動状態を検出すると、Ｓ３に進む。Ｓ３で、ダイヤル検出部９が可動支柱５の引き出し状態を検出すると、切替部１０は、呼び登録モードに切替え、Ｓ４に進む。Ｓ３で、ダイヤル検出部９が可動支柱５の押し込み状態を検出すると、切替部１０は、設置階登録モードに切替え、Ｓ８に進む。
【００２２】
Ｓ４で、表示制御部１１は、乗場インジケータ３に行先階を表示させる。ここで、ダイヤル検出部９が可動支柱５の右方向への回動を検出すると、表示制御部１１は、乗場インジケータ３に表示させる行先階を前記右方向へ回動する位置に応じて順次上方向の階床へ切替える。ダイヤル検出部９が可動支柱５の左方向への回動を検出すると、表示制御部１１は、乗場インジケータ３に表示させる行先階を前記左方向へ回動する位置に応じて順次下方向の階床へ切替える。なお、表示制御部１１は、乗場インジケータ３に行先階を点滅表示させても良い。
【００２３】
Ｓ５で、時間計測部１２は、可動支柱５が基準位置から回動した後、基準位置に戻ってから回動しない時間を計測する。この計測時間が予め決められた時間に達すると、時間計測部１２は、呼び登録部１３に信号を出力し、Ｓ６に進む。Ｓ６で、呼び登録部１３は、表示制御部１１が乗場インジケータ３に表示させている階床を行先階に決定し、Ｓ７に進む。Ｓ７で、呼び登録部１３は、決定した行先階を指定した呼びをエレベーター制御装置１５に登録する。
【００２４】
Ｓ３で、ダイヤル検出部９が可動支柱５の押し込み状態を検出すると、切替部１０は、設置階登録モードに切替え、Ｓ８に進む。Ｓ８で、表示制御部１１は、乗場インジケータ３に設置階を表示させる。ここで、ダイヤル検出部９が可動支柱５の右方向への回動を検出すると、表示制御部１１は、乗場インジケータ３に表示させる設置階を前記右方向へ回動する位置に応じて順次上方向の階床へ切替える。ダイヤル検出部９が可動支柱５の左方向への回動を検出すると、表示制御部１１は、乗場インジケータ３に表示させる設置階を前記左方向へ回動する位置に応じて順次下方向の階床へ切替える。なお、表示制御部１１は、乗場インジケータ３に設置階を点滅表示させても良い。
【００２５】
Ｓ９で、時間計測部１２は、可動支柱５が基準位置から回動した後、基準位置に戻ってから回動しない時間を計測する。この計測時間が予め決められた時間に達すると、時間計測部１２は、設置階登録部１４に信号を出力し、Ｓ１０に進む。Ｓ１０で、設置階登録部１４は、表示制御部１１が乗場インジケータ３に表示させている設置階を登録する。
【００２６】
以上述べたように、この実施の形態におけるエレベーターの乗場操作盤１にあっては、一つのダイヤル式スイッチ４のみで、呼び登録及び設置階登録を行え、かつ、ダイヤル式スイッチ４の他に登録ボタン及び切替スイッチを設ける必要がなく、乗場操作盤１を小型化できる。さらに、表板２を取外さなくても、設置階登録操作を行えるので、意匠面を傷つける恐れがない。
【００２７】
また、この実施の形態におけるエレベーターの乗場操作盤１にあっては、回動、押し込み及び引き出し操作可能なダイヤル式スイッチ４と、乗場１００に設けられ、行先階及び設置階を表示する乗場インジケータ３と、ダイヤル式スイッチ４の回動状態、押し込み状態及び引き出し状態を検出するダイヤル検出部９、ダイヤル検出部９が検出するダイヤル式スイッチ４の押し込み呼び状態及び引き出し状態に応じて呼び登録モードと乗場１００の階床を登録する設置階登録モードのいずれかに切替える切替部１０、呼び登録モードに切替えられた場合にダイヤル検出部９がダイヤル式スイッチ４の回動を検出すると乗場インジケータ３に表示する行先階を当該検出されたダイヤル式スイッチ４の回動位置に応じて順次切替え、設置階登録モードに切替えられた場合にダイヤル検出部９がダイヤル式スイッチ４の回動を検出すると乗場インジケータ３に表示する設置階を当該検出されたダイヤル式スイッチ４の回動位置に応じて順次切替える表示制御部１１、呼び登録モードに切替えられた場合にエレベーター制御装置１５に乗場インジケータ３に表示している行先階を呼びの行先階に決定し、当該決定した行先階を指定した呼びを登録する呼び登録部１３、設置階登録モードの場合に乗場インジケータ３に表示している設置階を乗場１００の階床として記憶する設置階登録部１４を有する乗場制御装置８とを備える。これにより、一つのダイヤル式スイッチ４で呼び登録及び設置階登録を行えるので、ダイヤル式スイッチ４の他に切替スイッチを設ける必要がなく、乗場操作盤１を小型化できる。さらに、表板２を取外さなくても、設置階登録操作を行えるので、意匠面を傷つける恐れがない。
【００２８】
また、この実施の形態におけるエレベーターの乗場操作盤１にあっては、ダイヤル式スイッチ４は、基準位置から回動すると逆方向へ回動して基準位置に戻り、乗場制御装置８は、ダイヤル式スイッチ４が回動した後基準位置に戻ってから回動しない時間を計測する時間計測部１２を有し、呼び登録モードの場合、呼び登録部１３は、時間計測部１２の計測時間が一定時間に達するとエレベーター制御装置１５に乗場インジケータ３に表示している行先階を指定した呼びを登録し、行先階登録モードの場合、設置階登録部１４は、時間計測部１２の計測時間が一定時間に達すると乗場インジケータ３に表示している設置階を乗場１００の階床として記憶する。これにより、ダイヤル式スイッチ４が回動した後基準位置に戻ってから一定時間回動しないと行先階または設置階を登録できるので、ダイヤル式スイッチ４の他に登録ボタンを設ける必要がなく、乗場操作盤１を小型化できる。
【００２９】
また、この実施の形態におけるエレベーターの乗場操作盤１にあっては、切替部１０は、ダイヤル検出部９がダイヤル式スイッチ４の引き出し状態を検出すると、呼び登録モードに切替え、ダイヤル式スイッチ４は、回動、押し込み及び引き出し操作される操作部４ａと操作部４ａの背面に当接する可動支柱５を有し、操作部４ａに着脱可能に設けられ、厚み寸法がダイヤル式スイッチ４を引き出した状態における操作部４ａの表面から乗場１００の壁に設けられる表板２までの寸法と同等であるキャップ７を備える。これにより、ダイヤル式スイッチ４にキャップ７を装着すると、ダイヤル式スイッチ４は、引き出し状態を維持するので、乗客が誤って設置階を登録してしまう恐れがない。
【００３０】
また、この実施の形態におけるエレベーターの乗場操作盤１にあっては、操作部４ａは、表面から背面まで貫通する挿通孔４ｂを有し、キャップ７は、挿通孔４ｂを挿通し、操作部４ａの背面に係止する係止部７ｂを有する。これにより、キャップ７は、ダイヤル式スイッチ４に係止するので、乗客が誤ってキャップ７をダイヤル式スイッチ４から取外す恐れがない。
【００３１】
実施の形態２．
ダイヤル検出部９は、可動支柱５が押し込み状態の場合に呼び登録モードを選択する構成としても良い。図１４は、この実施の形態における乗場操作盤１の一部断面図である。この実施の形態においてもキャップ７は、実施の形態１と同様に円筒形状で背面が開口している。キャップ７は、正面形状が正円であり、半径は、操作部４ａの半径よりも大きい。内部に直方体形状のロック部７ａ及び正面形状が操作部４ａと同形状の保持部７ｃを備える。ロック部７ａは、先端が側方に突出しており、係止部７ｂを形成する。この実施の形態におけるキャップ７の厚み寸法は、可動支柱５を押し込んだ状態における表板２から操作部４ａの表面までの寸法と同等である。ロック部７ａの係止部７ｂを除く長さ寸法は、可動支柱５を押し込んだ状態における表板２の背面から操作部４ａの表面までの寸法と同等である。なお、この実施の形態においては、キャップ７以外の構成は実施の形態１と同様である。
【００３２】
キャップ７は、可動支柱５を押し込んだ状態で、操作部４ａに装着される。このとき、ロック部７ａは、挿通孔４ｂを挿通し、可動支柱５が設けられる表板２の開口部２ａも挿通する。ロック部７ａの先端に設けられる係止部７ｂは、表板２の背面に係止する。保持部７ｃは、操作部４ａの表面及び側面に当接する。操作部４ａにキャップ７を装着すると、表板２の表面とキャップ７の背面との間に、わずかな隙間が生じる。操作部４ａにキャップ７を装着すると、可動支柱５を引き出せなくなる。キャップ７を操作部４ａに装着すると、可動支柱５は押し込み状態を維持する。
【００３３】
キャップ７を操作部４ａから取外す場合は、取外し工具１６を表板２とキャップ７の背面との隙間に挿入し、取外し工具１６の先端でロック部７ａを押圧する。ロック部７ａを押圧すると、係止部７ｂの表板２の背面への係止が外れる。係止部７ｂの表板２の背面への係止を外し、キャップ７を引くと、係止部７ｂは、表板２の開口部２ａから抜き出される。係止部７ｂは、開口部２ａから抜き出されると、操作部４ａの背面に係止する。取外し工具１６の先端で、係止部７ｂを押圧すると、係止部７ｂの操作部４ａの背面への係止が外れ、係止部７ｂは、挿通孔４ｂの入り口に移動する。この状態で、キャップ７を引くと、係止部７ｂは、挿通孔４ｂを挿通する。ロック部７ａ及び係止部７ｂが挿通孔４ｂから抜き出されると、キャップ７は、操作部４ａから取外される。取外し工具１６は、保守員のみが所持する工具であり、例えば、鋼尺である。このため、乗客が乗場操作盤１を操作した際にキャップ７が外れてしまう恐れがない。
【００３４】
図１５は、この発明の実施の形態２を示す乗場制御装置８の動作フローチャートである。図１５において、Ｓ３で、ダイヤル検出部９が可動支柱５の押し込み状態を検出すると、切替部１０は、呼び登録モードに切替え、ダイヤル検出部９が可動支柱５の引き出し状態を検出すると、切替部１０は、設置階登録モードに切替える点が、実施の形態１と異なる。その他の動作は実施の形態１と同様である。
【００３５】
以上述べたように、この実施の形態におけるエレベーターの乗場操作盤１にあっては、実施の形態１と同様に、一つのダイヤル式スイッチ４のみで、呼び登録及び設置階登録を行え、かつ、ダイヤル式スイッチ４の他に登録ボタン等を設ける必要がなく、乗場操作盤１を小型化できる。さらに、表板２を取外さなくても、設置階登録操作を行えるので、意匠面を傷つける恐れがない。
【００３６】
また、この実施の形態におけるエレベーターの乗場操作盤１にあっては、切替部１０は、ダイヤル検出部９がダイヤル式スイッチ４の押し込み状態を検出すると、呼び登録モードに切替え、ダイヤル式スイッチ４は、回動、押し込み及び引き出し操作され表面から背面まで貫通する挿通孔４ｂを有する操作部４ａと操作部４ａの背面に当接し乗場１００の壁に設けられる表板２の開口部２ａを貫通する可動支柱５を有し、操作部４ａに着脱可能に設けられ、挿通孔４ｂ及び表板２の開口部２ａを挿通し、表板２の背面に係止する係止部７ｂを有するキャップ７を備える。これにより、ダイヤル式スイッチ４にキャップ７を装着すると、ダイヤル式スイッチ４は、引き出し状態を維持するので、乗客が誤って設置階登録モードを選択してしまう恐れがなく、また、キャップ７は、表板２に係止するので、乗客が誤ってキャップ７をダイヤル式スイッチ４から取外す恐れがない。
【符号の説明】
【００３７】
１  乗場操作盤、２  表板、２ａ  開口部、３  乗場インジケータ、４  ダイヤル式スイッチ、４ａ  操作部、４ｂ  挿通孔、５  可動支柱、６  固定支柱、７  キャップ、７ａ  ロック部、７ｂ  係止部、７ｃ  保持部、８  乗場制御装置、９  ダイヤル検出部、１０  切替部、１１  表示制御部、１２  時間計測部、１３  呼び登録部、１４  設置階登録部、１５  エレベーター制御装置、１６  取外し工具、１００  乗場、１０１  乗場ドア、１０２  三方枠
【図１】
2016145087.tif 000003
【図２】
2016145087.tif 000004
【図３】
2016145087.tif 000005
【図４】
2016145087.tif 000006
【図５】
2016145087.tif 000007
【図６】
2016145087.tif 000008
【図７】
2016145087.tif 000009
【図８】
2016145087.tif 000010
【図９】
2016145087.tif 000011
【図１０】
2016145087.tif 000012
【図１１】
2016145087.tif 000013
【図１２】
2016145087.tif 000014
【図１３】
2016145087.tif 000015
【図１４】
2016145087.tif 000016
【図１５】
2016145087.tif 000017